(57)【特許請求の範囲】
【請求項１】
電気信号及び光信号を少なくとも一方から他方に変換するための光サブアセンブリと、
フレキシブル配線基板と、
前記光サブアセンブリと前記フレキシブル配線基板を電気的に接続する半田と、
を含む光モジュールであって、
前記光サブアセンブリは、少なくとも一列に並ぶように配列された複数の接続電極を有し、
前記フレキシブル配線基板は、柔軟性を有する基板と、前記基板の第１面に設けられた第１導電膜と、前記基板の前記第１面とは反対側の第２面に設けられた第２導電膜と、前記第２導電膜を覆う保護膜と、を有し、
前記第１導電膜は、前記複数の接続電極がそれぞれ前記半田によって接合される複数のパッド部と、前記複数のパッド部が並ぶ列に対して交差する方向に延びる配線部と、を含み、
前記複数のパッド部は、前記配線部と電気的に接続する端子部と、前記配線部との電気的接続を避けて前記端子部の両側に位置する少なくとも２つのランド部と、を含み、
前記保護膜は、前記少なくとも２つのランド部のそれぞれの一部に重なって前記第２導電膜の一部を露出させる穴を有し、
前記半田は、前記少なくとも２つのランド部のそれぞれに載るランド半田部と、前記保護膜の前記穴の内側で前記第２導電膜に載る半田部と、前記端子部に載る端子半田部と、を含み、
前記ランド半田部は、前記保護膜の前記穴及び前記端子半田部よりも、対応する前記接続電極から、前記配線部が延びる方向に沿って長く拡がる形状であることを特徴とする光モジュール。
【請求項２】
請求項１に記載された光モジュールであって、
前記少なくとも２つのランド部は、それぞれ、前記端子部よりも、対応する前記接続電極から、前記配線部が延びる方向に沿って長く拡がる形状であることを特徴とする光モジュール。
【請求項３】
請求項１又は２に記載された光モジュールであって、
前記フレキシブル配線基板は、前記ランド半田部の、前記端子半田部よりも長く拡がる方向の先端の隣で、前記配線部を覆う保護膜をさらに有することを特徴とする光モジュール。
【請求項４】
請求項１から３のいずれか１項に記載された光モジュールであって、
前記複数のパッド部は、相互に平行な第１列及び第２列にそれぞれ並び、
前記第１列にある前記端子部に電気的に接続する前記配線部と、前記第２列にある前記端子部に電気的に接続する前記配線部とは、反対方向に延びることを特徴とする光モジュール。
【請求項５】
請求項１から４のいずれか１項に記載された光モジュールであって、
前記第２導電膜は、ランドパターン部と、前記ランドパターン部を避ける形状で拡がる面状パターン部と、を含み、
前記ランドパターン部は、前記端子部と電気的に接続し、
前記面状パターン部は、前記少なくとも２つのランド部と電気的に接続することを特徴とする光モジュール。
【請求項６】
請求項５に記載された光モジュールであって、
前記フレキシブル配線基板は、前記基板を貫通して前記基板の表面及び裏面の電気的接続を図るための複数のスルーホールを有し、
前記複数のスルーホールは、前記端子部及び前記ランドパターン部を貫通して電気的接続を図るスルーホールと、前記少なくとも２つのランド部のそれぞれ及び前記面状パターン部を貫通して電気的接続を図るスルーホールと、を含むことを特徴とする光モジュール。
【請求項７】
請求項６に記載された光モジュールであって、
前記半田は、前記複数のスルーホールの内側と、前記ランドパターン部の上と、前記面状パターン部の上にも設けられることを特徴とする光モジュール。
【請求項８】
請求項６又は７に記載された光モジュールであって、
前記複数の接続電極は、それぞれ、リードピンであり、
前記リードピンは、前記複数のスルーホールのそれぞれに挿入されていることを特徴とする光モジュール。
【発明の詳細な説明】
【技術分野】
【０００１】
本発明は、光モジュールに関する。
【背景技術】
【０００２】
光ファイバ伝送用送受信装置（トランシーバともいう）には、電気信号と光信号を変換する光サブアセンブリ(OSA：Optical Sub Assembly)が搭載されている。光サブアセンブリを電気的にメイン基板などと接続する為にフレキシブル配線基板を用いることが知られている。このような、光サブアセンブリにフレキシブル配線基板が接続された構造が特許文献１に開示されている。
【先行技術文献】
【特許文献】
【０００３】
【特許文献１】特開２０１２−４７８２３号公報
【発明の概要】
【発明が解決しようとする課題】
【０００４】
光サブアセンブリは、リードピンやフィードスルーの回路パターン等からなる複数の接続電極を有している。複数の接続電極は一直線上に並ぶことが多い。フレキシブル配線基板に形成された配線は、パッドやスルーホール等からなる複数の接続端子を有している。光サブアセンブリの接続電極と、フレキシブル配線基板の接続端子は、半田によって接合され、これにより複数の半田接合部が形成される。複数の接続電極が一直線上に並んでいると、複数の半田接合部も一直線上に並ぶ。そのため、フレキシブル配線基板を曲げたときに、配線は、硬い半田接合部に隣接する位置で曲がり易くなっており、応力が集中する。断線を防止するためには、このような応力の集中は避けることが望ましい。
【０００５】
本発明は、フレキシブル配線基板を曲げたときの配線への応力の集中を避けることを目的とする。
【課題を解決するための手段】
【０００６】
（１）本発明に係る光モジュールは、電気信号及び光信号を少なくとも一方から他方に変換するための光サブアセンブリと、フレキシブル配線基板と、前記光サブアセンブリと前記フレキシブル配線基板を電気的に接続する半田と、を含む光モジュールであって、前記光サブアセンブリは、少なくとも一列に並ぶように配列された複数の接続電極を有し、前記フレキシブル配線基板は、柔軟性を有する基板と、前記基板の一方の面に設けられた導電膜と、を有し、前記導電膜は、前記複数の接続電極がそれぞれ前記半田によって接合される複数のパッド部と、前記複数のパッド部が並ぶ列に対して交差する方向に延びる配線部と、を含み、前記複数のパッド部は、前記配線部と電気的に接続する端子部と、前記配線部との電気的接続を避けて前記端子部の両側に位置する少なくとも２つのランド部と、を含み、前記半田は、前記少なくとも２つのランド部のそれぞれに載るランド半田部と、前記端子部に載る端子半田部と、を含み、前記ランド半田部は、前記端子半田部よりも、対応する前記接続電極から、前記配線部が延びる方向に沿って長く拡がる形状である。本発明によれば、ランド半田部が、端子半田部よりも長く拡がる形状であるため、端子半田部に隣接する位置では、配線が曲がり難くなっている。これにより、配線への曲げ応力の集中を防止することができるので、断線対策が図られる。なお、「電気信号及び光信号を少なくとも一方から他方に変換する」とは、電気信号を光信号に変換する場合と、光信号を電気信号に変換する場合と、電気信号を光信号に変換し、かつ、光信号を電気信号に変換する場合を含む。
【０００７】
（２）（１）に記載された光モジュールは、前記少なくとも２つのランド部は、それぞれ、前記端子部よりも、対応する前記接続電極から、前記配線部が延びる方向に沿って長く拡がる形状であることを特徴としてもよい。
【０００８】
（３）（１）又は（２）に記載された光モジュールは、前記フレキシブル配線基板は、前記ランド半田部の、前記端子半田部よりも長く拡がる方向の先端の隣で、前記配線部を覆う保護膜をさらに有することを特徴としてもよい。
【０００９】
（４）（１）から（３）のいずれか１項に記載された光モジュールは、前記複数のパッド部は、相互に平行な第１列及び第２列にそれぞれ並び、前記第１列にある前記端子部に電気的に接続する前記配線部と、前記第２列にある前記端子部に電気的に接続する前記配線部とは、反対方向に延びることを特徴としてもよい。
【００１０】
（５）（１）から（４）のいずれか１項に記載された光モジュールは、前記フレキシブル配線基板は、前記基板の、前記導電膜が設けられた面とは反対側の面に設けられた第２導電膜をさらに有し、前記第２導電膜は、ランドパターン部と、前記ランドパターン部を避ける形状で拡がる面状パターン部と、を含み、前記ランドパターン部は、前記端子部と電気的に接続し、前記面状パターン部は、前記少なくとも２つのランド部と電気的に接続することを特徴としてもよい。
【００１１】
（６）（５）に記載された光モジュールは、前記フレキシブル配線基板は、前記基板を貫通して前記基板の表面及び裏面の電気的接続を図るための複数のスルーホールを有し、前記複数のスルーホールは、前記端子部及び前記ランドパターン部を貫通して電気的接続を図るスルーホールと、前記少なくとも２つのランド部のそれぞれ及び前記面状パターン部を貫通して電気的接続を図るスルーホールと、を含むことを特徴としてもよい。
【００１２】
（７）（６）に記載された光モジュールは、前記半田は、前記複数のスルーホールの内側と、前記ランドパターン部の上と、前記面状パターン部の上にも設けられることを特徴としてもよい。
【００１３】
（８）（６）又は（７）に記載された光モジュールは、前記複数の接続電極は、それぞれ、リードピンであり、前記リードピンは、前記複数のスルーホールのそれぞれに挿入されていることを特徴としてもよい。
【図面の簡単な説明】
【００１４】
【図１】本発明の第１の実施形態に係る光モジュールを説明する図である。
【図２】図１に示す光モジュールのII−II線断面図である。
【図３】図２又は図５に示す光モジュールのIII−III線断面図である。
【図４】図２又は図５に示す光モジュールのIV−IV線断面図である。
【図５】図２に示す光モジュールの反対側を示す図である。
【図６】本発明の第２の実施形態に係る光モジュールを示す側面図である。
【図７】図６に示す光モジュールの平面図である。
【図８】図７に示す光モジュールの反対側を示す底面図である。
【図９】図７又は図８に示す光モジュールのIX−IX線断面図である。
【図１０】図７又は図８に示す光モジュールのＸ−Ｘ線断面図である。
【発明を実施するための形態】
【００１５】
以下、本発明の実施形態について図面を参照して説明する。
【００１６】
［第１の実施形態］
図１は、本発明の第１の実施形態に係る光モジュールを説明する図である。光モジュール１０は、光サブアセンブリ１２を有する。光サブアセンブリ１２は、レーザなどの発光素子を内部に有し、電気信号を光信号に変換して光コネクタ１６と接続される光ファイバに光信号を送信する光送信モジュール（TOSA; Transmitter Optical SubAssembly）や、内部にフォトダイオードに代表される受光素子を有し、光コネクタ１６より受信した光信号を電気信号に変換する光受信モジュール（ROSA; Receiver Optical SubAssembly）、およびその両方の機能を内包したＢＯＳＡ (Bidirectional Optical Subassembly)などがある。このように光サブアセンブリは、電気信号及び光信号を少なくとも一方から他方に変換するようになっているものである。光サブアセンブリ１２には、パッケージ１４の気密性を保った状態で電気信号を送信又は／及び受信するためにフィードスルー１８が設けられている。
【００１７】
図２は、図１に示す光モジュール１０のII−II線断面図である。フィードスルー１８は、セラミック基板２０及び複数の接続電極２２（例えばリードピン）を有する。複数の接続電極２２は、少なくとも一列に並ぶように配列されている。図２に示す複数の接続電極２２は、二列（つまり複数列）に並び、上段で横方向に一列に並ぶ第１列の接続電極２２ａと、下段で横方向に一列に並ぶ第２列の接続電極２２ｂを含む。
【００１８】
図３は、図２に示す光モジュール１０のIII−III線断面図である。図４は、図２に示す光モジュール１０のIV−IV線断面図である。光モジュール１０は、フレキシブル配線基板２４を有する。フレキシブル配線基板２４は、柔軟性を有する基板２６を有する。基板２６の一方の面には、導電膜２８が設けられている。導電膜２８は、面状に拡がる面状パターン３０（ベタパターン）を有する（図２参照）。
【００１９】
面状パターン３０は、少なくとも１つ（例えば複数）の開口３２を有している。１つの開口３２の内側に、少なくとも１つ（例えば複数）のランドパターン部３４が配置されている。導電膜２８は、ランドパターン部３４を含み、面状パターン部３０は、ランドパターン部３４を避ける形状で拡がる。ランドパターン部３４は、面状パターン部３０とは電気的に接続せず、複数のランドパターン部３４同士は、電気的に接続されない。
【００２０】
図５は、図２に示す光モジュール１０の反対側を示す図である。図３は、図５に示す光モジュール１０のIII−III線断面図でもあり、図４は、図５に示す光モジュール１０のIV−IV線断面図でもある。
【００２１】
図３〜図５に示すように、基板２６の他方の面（図２に示す導電膜２８が設けられた面とは反対側の面）には、導電膜３６が設けられている。導電膜３６は、複数の配線部３８を含む。複数の配線部３８は、それぞれ、光サブアセンブリ１２と図示しないメイン基板との間で電気信号の送信及び／又は受信を行うための伝送路である。尚、一般的には複数の配線部３８には高周波や電源ライン等のＤＣ (Direct Current) ラインの電気信号の伝達に使われ、面状パターン３０はグランドパターン（接地導体）として使われることが多い。特に配線部３８が高周波の伝達のために使われる場合は、他の配線と比べて特性の関係上幅が細く、折り曲げた際の応力集中により断線する懸念がある。
【００２２】
図５に示すように、導電膜３６は、複数のパッド部４０を含む。複数のパッド部４０は、少なくとも一列に並ぶように配列されている。図５に示す複数のパッド部４０は、二列（つまり複数列）に並び、上段で横方向に一列に並ぶ第１列のパッド部４０ａと、下段で横方向に一列に並ぶ第２列のパッド部４０ｂを含む。つまり、複数のパッド部４０は、相互に平行な第１列及び第２列にそれぞれ並ぶ。
【００２３】
複数のパッド部４０は、配線部３８と電気的に接続する端子部４２を含む。１つの配線部３８と１つの端子部４２が電気的に接続されているが、１つの配線部３８と複数の端子部４２が電気的に接続されてもよいし、複数の配線部３８と１つの端子部４２が電気的に接続されてもよいし、複数の配線部３８と複数の端子部４２が電気的に接続されてもよい。
【００２４】
配線部３８は、複数のパッド部４０が並ぶ列（図５では横方向）に対して交差する方向（図５では縦方向）に延びる。第１列にある端子部４２ａに電気的に接続する配線部３８ａは図５では上方向に延び、第２列にある端子部４２ｂに電気的に接続する配線部３８ｂは図５では下方向に延びる。すなわち、延びる方向が反対になっている。
【００２５】
複数のパッド部４０は、配線部３８との電気的接続を避けて端子部４２の両側に位置する少なくとも２つのランド部４４を含む。それぞれの列に並ぶ１グループのパッド部４０は、一対のランド部４４とその間に配置される少なくとも１つ（例えば複数）の端子部４２を含む。
【００２６】
ランド部４４（詳しくはその表面形状）は、端子部４２（詳しくはその表面形状）よりも、配線部３８が延びる方向に沿って長く拡がる形状である。それぞれの列に並ぶランド部４４及び端子部４２は、配線部３８が接続する側とは反対側の辺が一直線上に揃うようになっている。端子部４２に配線部３８が接続する側で、ランド部４４は、端子部４２よりも長く拡がる。
【００２７】
図３に示すように、端子部４２とランドパターン部３４は、両者間に基板２６を挟んで、少なくとも部分的に重畳する位置に配置されている。図４に示すように、ランド部４４と面状パターン部３０は、両者間に基板２６を挟んで、少なくとも部分的に重畳する位置に配置されている。
【００２８】
フレキシブル配線基板２４は、基板２６を貫通してその表面及び裏面の電気的接続を図るための複数のスルーホール４６を有する。スルーホール４６は、基板２６の貫通穴４８の内面にメッキなどによって設けられた導体からなり、部品を挿入する穴としても使用可能である。スルーホール４６は、導電膜２８及び導電膜３６と同じ材料でこれらと同時に形成することができる。
【００２９】
複数のスルーホール４６は、相互に重複する位置にある端子部４２及びランドパターン部３４を貫通して電気的接続を図るスルーホール４６ａを含み、これによって端子部４２とランドパターン部３４とは電気的に接続される。複数のスルーホール４６は、相互に重複する位置にあるランド部４４及び面状パターン部３０を貫通して電気的接続を図るスルーホール４６ｂを含み、これによって少なくとも２つのランド部４４と面状パターン部３０とは電気的に接続される。
【００３０】
なお、図４及び図５に示すように、ランド部４４と面状パターン部３０は、これらを構成する材料（導体）が、基板２６に形成された孔（ビア）５０に連続一体的に入って連結されている。これにより、ランド部４４の剥離が防止される。
【００３１】
光サブアセンブリ１２の複数の接続電極２２（リードピン）は、それぞれ、複数のスルーホール４６に挿入されている。図５に示すように、ランド部４４は、端子部４２よりも、挿入された接続電極２２（リードピン）から配線部３８が延びる方向に沿って長く拡がる形状である。
【００３２】
光モジュール１０は、光サブアセンブリ１２（詳しくは接続電極２２）とフレキシブル配線基板２４（詳しくは端子部４２及び面状パターン部３０）を電気的に接続する半田５２を有する。半田５２は、複数のスルーホール４６の内側にも設けられ、スルーホール４６に挿入された接続電極２２を固定する。
【００３３】
図２に示すように、半田５２は、ランドパターン部３４の上（表面全体）及び面状パターン部３０の上（一部の領域）に設けられる。また、図５に示すように、半田５２は、端子部４２（表面全体）に載る端子半田部５４と、ランド部４４（表面全体）に載るランド半田部５６と、を含む。ランド半田部５６は、端子半田部５４よりも、対応する接続電極２２から、配線部３８が延びる方向に沿って長く拡がる形状である。そのため、ランド半田部５６がその硬さから曲がり難いため、端子半田部５４に隣接する位置では、配線部３８が曲がり難くなる。これにより、配線部３８への曲げ応力の集中を防止することができるので、断線対策が図られる。
【００３４】
図５に示すように、ランド半田部５６の、端子半田部５４よりも長く拡がる方向の先端の隣（直線Ｌの位置）で、配線部３８を覆うように保護膜５８が設けられている。保護膜５８は、ポリイミド樹脂などの柔軟性を有する材料からなる。フレキシブル配線基板２４が曲げられたとき、半田が配置された領域は硬いために、曲げ箇所はランド半田部５６の、端子半田部５４より長く広がる先端の隣（つまり直線Ｌの位置）が起点となる。その際に、直線Ｌの位置においては配線部３８の上は保護膜５８により覆われているため、配線部３８に生じる応力が分散されるので、その断線を防止することができる。前述したように配線部３８が、高周波が伝達される場合は特に細い配線幅となることがあり、本願発明の実施形態は特に効果を発揮する。
【００３５】
図２に示すように、面状パターン部３０も保護膜６０によって覆われている。図４に示すように、保護膜６０は、面状パターン部３０を貫通するスルーホール４６ｂを内側に配置する穴６２を有する。穴６２は、スルーホール４６よりも大きくなっており、内側に半田５２を設けられるようになっている。図３に示すように、保護膜６０は、開口６４を有し、開口６４の内側にランドパターン部３４が配置される。つまり、保護膜６０はランドパターン部３４を避けて設けられる。
【００３６】
［第２の実施形態］
図６は、本発明の第２の実施形態に係る光モジュール１１０を示す側面図である。光モジュール１１０は、光サブアセンブリ１１２を有する。光サブアセンブリ１１２にはフィードスルー１１８が設けられている。光サブアセンブリ１１２の詳細は、第１の実施形態で説明した内容が該当する。
【００３７】
図７は、図６に示す光モジュール１１０の平面図である。図８は、図７に示す光モジュール１１０の反対側を示す底面図である。図９は、図７又は図８に示す光モジュール１１０のIX−IX線断面図である。図１０は、図７又は図８に示す光モジュール１１０のＸ−Ｘ線断面図である。
【００３８】
図９又は図１０に示すように、フィードスルー１１８は、複数の接続電極１２２を有する。接続電極１２２は、セラミック基板１２０に設けられた配線パターンの端子である。複数の接続電極１２２は、一列のみに並ぶように配列されている。フィードスルー１１８に電気的に接続されるフレキシブル配線基板１２４は、柔軟性を有する基板１２６を有する。
【００３９】
図７に示すように、基板１２６の一方の面（フィードスルー１１８とは反対側を向く面）には、導電膜１３６が設けられている。導電膜１３６は、複数の配線部１３８を含む。配線部１３８の詳細（特に延びる方向）は、第１の実施形態で説明した内容が該当する。導電膜１３６は、複数のパッド部１４０を含む。複数のパッド部１４０は、一列のみに並ぶように配列されている。複数のパッド部１４０は、配線部１３８と電気的に接続する端子部１４２を含む。複数のパッド部１４０は、配線部１３８との電気的接続を避けて端子部１４２の両側に位置する少なくとも２つのランド部１４４を含む。導電膜１３６（特に、端子部１４２及びランド部１４４）の詳細は、第１の実施形態で説明した内容が該当する。
【００４０】
図８（図７の反対側から見た底面図であってフィードスルー１１８を仮想線で示す）に示すように、基板１２６の他方の面（フィードスルー１１８を向く面）には、導電膜１２８が設けられている。導電膜１２８は、面状に拡がる面状パターン１３０（ベタパターン）を有する。面状パターン１３０の開口１３２の内側に、少なくとも１つ（例えば複数）のランドパターン部１３４が配置されている。導電膜１２８（特に、面状パターン１３０及びランドパターン部１３４）の詳細は、第１の実施形態で説明した内容が該当する。
【００４１】
フレキシブル配線基板１２４は、基板１２６を貫通してその表面及び裏面の電気的接続を図るための複数のスルーホール１４６を有する。複数のスルーホール１４６は、相互に重複する位置にある端子部１４２及びランドパターン部１３４を貫通して電気的接続を図るスルーホール１４６ａを含み、これによって端子部１４２とランドパターン部１３４とは電気的に接続される。複数のスルーホール１４６は、相互に重複する位置にあるランド部１４４及び面状パターン部１３０を貫通して電気的接続を図るスルーホール１４６ｂを含み、これによってランド部１４４と面状パターン部１３０とは電気的に接続される。スルーホール１４６のその他の詳細は、第１の実施形態で説明した内容が該当する。
【００４２】
光モジュール１１０は、光サブアセンブリ１１２（詳しくは接続電極１２２）とフレキシブル配線基板１２４（詳しくは端子部１４２及び面状パターン部１３０）を電気的に接続する半田１５２を有する。詳しくは、図９及び図１０に示すように、複数の接続電極１２２と、導電膜１２８（面状パターン１３０の複数個所及び複数のランドパターン部１３４）と、の間に半田１５２が介在する。図８に示すように、半田１５２は、ランドパターン部１３４の表面全体及び面状パターン部１３０の表面の一部に設けられる。組立工程では、フレキシブル配線基板１２４をフィードスルー１１８の上に配置し、フィードスルー１１８とは反対側から、複数のスルーホール１４６を通して、半田１５２を設けることができる。その結果、半田１５２は、スルーホール１４６の内側にも設けられる（図９及び図１０参照）。
【００４３】
図７に示すように、半田１５２は、端子部１４２（表面全体）に載る端子半田部１５４と、ランド部１４４（表面全体）に載るランド半田部１５６と、を含む。ランド半田部１５６は、端子半田部１５４よりも、対応する接続電極１２２から、配線部１３８が延びる方向に沿って長く拡がる形状である。そのため、ランド半田部１５６がその硬さから曲がり難いため、端子半田部１５４に隣接する位置では、配線が曲がり難くなる。これにより、配線への曲げ応力の集中を防止することができるので、断線対策が図られる。
【００４４】
図７に示すように、ランド半田部１５６の、端子半田部１５４よりも長く拡がる方向の先端の隣（直線Ｌの位置）で、配線部１３８を覆うように保護膜１５８が設けられている。保護膜１５８は、ポリイミド樹脂などの柔軟性を有する材料からなる。フレキシブル配線基板１２４が直線Ｌの位置で曲げられるときに、保護膜１５８によって、配線部１３８に生じる応力が分散されるので、その断線を防止することができる。なお、図８に示すように、面状パターン部１３０も保護膜１６０によって覆われている。
【００４５】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４６】
１０  光モジュール、１２  光サブアセンブリ、１４  パッケージ、１６  光コネクタ、１８  フィードスルー、２０  セラミック基板、２２  接続電極、２２ａ  接続電極、２２ｂ  接続電極、２４  フレキシブル配線基板、２６  基板、２８  導電膜、３０  面状パターン部、３２  開口、３４  ランドパターン部、３６  導電膜、３８  配線部、３８ａ  配線部、３８ｂ  配線部、４０  パッド部、４０ａ  パッド部、４０ｂ  パッド部、４２  端子部、４２ａ  端子部、４２ｂ  端子部、４４  ランド部、４６  スルーホール、４６ａ  スルーホール、４６ｂ  スルーホール、４８  貫通穴、５０  孔、５２  半田、５４  端子半田部、５６  ランド半田部、５８  保護膜、６０  保護膜、６２  穴、６４  開口、１１０  光モジュール、１１２  光サブアセンブリ、１１８  フィードスルー、１２０  セラミック基板、１２２  接続電極、１２４  フレキシブル配線基板、１２６  基板、１２８  導電膜、１３０  面状パターン部、１３２  開口、１３４  ランドパターン部、１３６  導電膜、１３８  配線部、１４０  パッド部、１４２  端子部、１４４  ランド部、１４６  スルーホール、１４６ａ  スルーホール、１４６ｂ  スルーホール、１５２  半田、１５４  端子半田部、１５６  ランド半田部、１５８  保護膜、１６０  保護膜。
【図１】
0006430296.tif 000002
【図２】
0006430296.tif 000003
【図３】
0006430296.tif 000004
【図４】
0006430296.tif 000005
【図５】
0006430296.tif 000006
【図６】
0006430296.tif 000007
【図７】
0006430296.tif 000008
【図８】
0006430296.tif 000009
【図９】
0006430296.tif 000010
【図１０】
0006430296.tif 000011